(57)【特許請求の範囲】
【請求項１】
表裏面に熱可塑性樹脂を積層した紙素材によって有底の胴部の上に切妻屋根型頂部が存在するように形成され、前記切妻屋根型頂部の切妻屋根面に、裏面からストロー口となる第１ハーフカットが設けられ、表面から前記第１ハーフカットを囲むように第２ハーフカットが設けられ、表面から前記第２ハーフカットで囲まれた部分を層間剥離させることによりストロー口が開口する紙容器において、
前記切妻屋根型頂部の切妻屋根面は、横方向に向かう山折りされた状態の山折部により凸面状に形成されており、前記第２ハーフカットにあっては、剥離の糸口となる剥離糸口端部が前記山折部を横切り又は剥離糸口端部の先端が前記山折部と一致するように設けられていることを特徴とする紙容器。
【発明の詳細な説明】
【技術分野】
【０００１】
本発明は、牛乳やジュース等の液体飲料を収容する紙容器であって、頂部表面に形成されたハーフカットで囲まれた部分を層間剥離するとストロー口が開口するようになっている紙容器に関するものである。
【背景技術】
【０００２】
この種の紙容器として、表裏両面に熱可塑性樹脂層を積層した紙素材によって有底の胴部とその上を閉塞する頂部とが形成され、頂部に裏面からストロー口となる第１ハーフカットが設けられ、表面から第１ハーフカットを囲むように第２ハーフカットが設けられ、表面から第２ハーフカットで囲まれた部分を層間剥離させることによりストロー口が開口する構造になっており、前記第２ハーフカットは、その層間剥離の糸口となる剥離糸口端部の先端が頂部と胴部の境界の頂部横罫線と一致し、或いは頂部横罫線を越えて胴部の平面部側に僅かに突出するように設けられたものが知られている（例えば、特許文献１参照。）。
【先行技術文献】
【特許文献】
【０００３】
【特許文献１】実公昭６０−３４５７２号公報
【発明の概要】
【発明が解決しようとする課題】
【０００４】
しかし、上記従来の紙容器は、第２ハーフカットが、その層間剥離の糸口となる剥離糸口端部の先端が頂部と胴部の境界の頂部横罫線と一致し、或いは頂部横罫線を越えて胴部の平面部側に僅かに突出するように設けられているため、例えば、輸送中、第２ハーフカットの剥離糸口端部が隣の紙容器に当たって擦れた場合には、第２ハーフカットの剥離糸口端部が捲れてしまうといった問題があった。
【０００５】
本発明の目的は、ストロー口の開口を容易にすると共に、輸送等の取り扱い中、第２ハーフカットの剥離糸口端部が捲れないようにした紙容器を提供することにある。
【課題を解決するための手段】
【０００６】
上記の目的を達成するために請求項１に記載の発明は、表裏面に熱可塑性樹脂を積層した紙素材によって有底の胴部の上に切妻屋根型頂部が存在するように形成され、前記切妻屋根型頂部の切妻屋根面に、裏面からストロー口となる第１ハーフカットが設けられ、表面から前記第１ハーフカットを囲むように第２ハーフカットが設けられ、表面から前記第２ハーフカットで囲まれた部分を層間剥離させることによりストロー口が開口する紙容器において、前記切妻屋根型頂部の切妻屋根面は、横方向に向かう山折りされた状態の山折部により凸面状に形成されており、前記第２ハーフカットにあっては、剥離の糸口となる剥離糸口端部が前記山折部を横切り又は剥離糸口端部の先端が前記山折部と一致するように設けられていることを特徴とする。
【発明の効果】
【０００７】
請求項１に記載の紙容器によれば、第２ハーフカットの剥離糸口端部が切妻屋根面に形成された山折部を横切り又は剥離糸口端部の先端が山折部と一致するように設けられているので、輸送中、隣の紙容器に第２ハーフカットの剥離糸口端部が接触せず、輸送等の取り扱い中に第２ハーフカットの剥離糸口端部が捲れてしまうおそれはない。
【０００８】
また、切妻屋根型頂部の切妻屋根面は、山折部により凸面状に形成され、第２ハーフカットにあっては、剥離の糸口となる剥離糸口端部が山折部を横切り又は剥離糸口端部の先端が山折部と一致するように設けられているので、第２ハーフカットの剥離糸口端部が山折部を横切るように設けられている場合には、剥離糸口端部にわずかな力を加えるだけで、紙素材の復元力により剥離糸口端部を容易に立ち上げることができ、また、第２ハーフカットの剥離糸口端部の先端が山折部と一致するように設けられている場合には、剥離糸口端部の先端に爪が掛かり易く、容易に剥離糸口端部を立ち上げることができる。
このように、剥離糸口端部を容易に立ち上げることができるので、立ち上がった剥離糸口端部を摘まんで第２ハーフカットで囲まれた部分を層間剥離することにより、ストロー口の開口を容易に行うことができる。
【図面の簡単な説明】
【０００９】
【図１】本発明に係る紙容器の実施の形態の第１例を示す斜視図である。
【図２】図１に示す紙容器の組み立て加工前のカートンブランクスを示す展開図である。
【図３】本発明に係る紙容器の実施の形態の第２例を示す斜視図である。
【発明を実施するための形態】
【００１０】
以下、本発明に係る紙容器の実施の形態を、図面を参照して詳細に説明する。
図１及び図２は本発明に係る紙容器の第１例を示したもので、図１は本例の紙容器の斜視図、図２は図１に示す紙容器の組み立て加工前のカートンブランクスを示す展開図である。
【００１１】
本例の紙容器は、図２に示される展開構造を有するカートンブランクスによって組み立てられる。
本例に係る紙容器は、表裏両面に熱可塑性樹脂層を積層した紙素材によって形成されたものであって、４つの平面部１の隣接部が直角につながった構造の有底の胴部２の上部を切妻屋根型の頂部３で閉塞した構成となっている。切妻屋根型の頂部３は、切妻屋根面４とその両端を閉塞する妻壁５によって構成されている。胴部２と頂部３との境界には頂部横罫線６が設けられている。
【００１２】
頂部３の切妻屋根面４は、横方向に向かう山折部７を有する凸面状に形成されている。
本例では、切妻屋根面４の縦方向中央に１つの山折部７が形成され、山折部７により切妻屋根面４が凸面状となっている。なお、切妻屋根面４に形成される山折部７の数は１つに限定されず、複数の山折部７を形成してもよいし、また、山折部７を形成する位置も特に限定されない。
【００１３】
頂部３の切妻屋根面４には、その裏面からストロー口８となる第１ハーフカット９が設けられ、表面から第１ハーフカット９を囲むように第２ハーフカット１０が設けられている。
第２ハーフカット１０はその剥離の糸口となる略弧状の剥離糸口端部１１と、この剥離糸口端部１１の両端から平行に連続して延びる平行直線部１２，１３とからなる略Ｕ字状の形状になっており、表面から剥離糸口端部１１を起点として第２ハーフカット１０で囲まれた部分を層間剥離させることによってストロー口８を開口させる構造となっている。
本例では、第２ハーフカット１０は、剥離の糸口となる剥離糸口端部１１の先端１１ａが山折部７と一致するように設けられている。
【００１４】
なお、剥離糸口端部１１にあっては、本例では円弧状となっているが、これに限定されるものではなく、図示しないが、剥離糸口端部１１の先端１１ａを頂点とした三角形状になっていてもよく、台形状になっていてもよく、多角形状になっていてもよい。
また、略Ｕ字状の形状となっている第２ハーフカット１０の２本の平行直線部１２，１３は、その長さが等しくてもよいし、いずれかの平行直線部１２，１３が他方より短く形成されていてもよい。
【００１５】
このような構造の紙容器によれば、第２ハーフカット１０の剥離の糸口となる剥離糸口端部１１が、頂部３の切妻屋根面４に形成された山折部７と一致するように設けられているので、輸送中、隣の紙容器に第２ハーフカット１０の剥離糸口端部１１が接触せず、輸送等の取り扱い中に第２ハーフカット１０の剥離糸口端部１１が捲れてしまうおそれはない。
【００１６】
また、頂部３の切妻屋根面４は、山折部７により凸面状に形成され、第２ハーフカット１０の剥離の糸口となる剥離糸口端部１１の先端１１ａが山折部７と一致するように設けられているので、剥離糸口端部１１の先端１１ａに爪が掛かり易く、容易に剥離糸口端部１１を立ち上げることができる。
このように、剥離糸口端部１１を容易に立ち上げることができるので、立ち上がった剥離糸口端部１１を摘まんで第２ハーフカット１０で囲まれた部分を層間剥離することにより、ストロー口８の開口を容易に行うことができる。
【００１７】
次ぎに、本発明に係る紙容器の実施の形態の第２例を説明する。
図３は本発明に係る紙容器の第２例を示したもので、図３は本例の紙容器の斜視図である。
第２例の紙容器について、第１例と同一の構成については同一の符号を付しその説明を省略し、第１例と異なる構成についてのみ説明する。
【００１８】
本例では、第２ハーフカット１０は、第２ハーフカット１０の剥離糸口端部１１が山折部７を横切るように設けられている。第２ハーフカット１０の剥離糸口端部１１が山折部７を越える長さは、１ｍｍ〜１０ｍｍが好ましい。
【００１９】
このような構造の紙容器によれば、第２ハーフカット１０の剥離糸口端部１１が山折部７を横切るように設けられているので、剥離糸口端部１１にわずかな力を加えるだけで、紙素材の復元力により剥離糸口端部１１を容易に立ち上げることができ、立ち上がった剥離糸口端部１１を摘まんで第２ハーフカット１０で囲まれた部分を層間剥離することにより、ストロー口８の開口を容易に行うことができる。
その他の作用効果は第１例と同様なので、第１例の説明を援用し、その説明を省略する。
【符号の説明】
【００２０】
１  平面部
２  胴部
３  頂部
４  切妻屋根面
５  妻壁
６  頂部横罫線
７  山折部
８  ストロー口
９  第１ハーフカット
１０  第２ハーフカット
１１  剥離糸口端部
１１ａ  先端
１２，１３  平行直線部
【図１】
0006671885.tif 000002
【図２】
0006671885.tif 000003
【図３】
0006671885.tif 000004